(57)【要約】  本開示の実施例は、共通ダウンリンク制御チャネル伝送方法及び関連機器を提供する。当該方法において、共通ダウンリンク制御チャネル伝送用のリソースセットに関連付けられる目標信号を、ユーザ端末がネットワーク側機器から受信することと、前記ユーザ機器が、前記目標信号に基づいて前記リソースセットを特定し、前記ネットワーク側機器から送信される共通ダウンリンク制御チャネルを前記リソースセットで受信することとを含む。【選択図】  図２
2020523906.tif 000002
【特許請求の範囲】
【請求項１】
共通ダウンリンク制御チャネル伝送用のリソースセットに関連付けられる目標信号を、ユーザ端末がネットワーク側機器から受信することと、
前記ユーザ機器が、前記目標信号に基づいて前記リソースセットを特定し、前記ネットワーク側機器から送信される共通ダウンリンク制御チャネルを前記リソースセットで受信することとを含む、共通ダウンリンク制御チャネル伝送方法。
【請求項２】
前記目標信号は、
同期信号ブロックを含む、請求項１に記載の方法。
【請求項３】
前記リソースセットが占用するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルと、前記同期信号ブロックが占用するＯＦＤＭシンボルとは同じく、かつ前記共通ダウンリンク制御チャネルの伝送周期と、前記同期信号ブロックの伝送周期とは同じである、請求項２に記載の方法。
【請求項４】
前記リソースセットが占用する時間周波数リソースと、前記同期信号ブロックが占用する時間周波数リソースとは、ＦＤＭ（Ｆｒｅｑｕｅｎｃｙ  Ｄｉｖｉｓｉｏｎ  Ｍｕｌｔｉｐｌｅｘｉｎｇ）である、請求項３に記載の方法。
【請求項５】
前記共通ダウンリンク制御チャネルと前記同期信号ブロックとは、同じＯＦＤＭシンボルで同じビームによって伝送される、請求項３または４に記載の方法。
【請求項６】
前記リソースセットの設定情報のすべての内容は、プロトコルによって事前に定義され、または、
前記リソースセットの設定情報の一部またはすべての内容は、前記同期信号ブロックのうちのＭＩＢ（Ｍａｓｔｅｒ  Ｉｎｆｏｒｍａｔｉｏｎ  Ｂｌｏｃｋ）によって設定される、請求項３または４に記載の方法。
【請求項７】
前記リソースセットの設定情報は、
制御チャネルエレメントＣＣＥとリソースエレメント群ＲＥＧとのマッピング関係、
物理ダウンリンク制御チャネルＰＤＣＣＨ候補リソースとＣＣＥとのマッピング関係、
復調参照信号ＤＭＲＳポートモード情報、
リソースサイズ情報、および、
前記同期信号ブロックに対するリソース位置のうちの１つまたは複数を含む、請求項６に記載の方法。
【請求項８】
前記リソースセットの設定情報は、
前記同期信号ブロックおよび／またはプロトコルによる事前定義で特定される、請求項２に記載の方法。
【請求項９】
１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する、請求項８に記載の方法。
【請求項１０】
１つの同期信号ブロックのうちのＭＩＢは、当該同期信号ブロックに対応する少なくとも１つの共通ダウンリンク制御チャネル伝送用のリソースセットの時間周波数位置を通知する、請求項９に記載の方法。
【請求項１１】
１つの同期信号ブロックが少なくとも１つの共通ダウンリンク制御チャネル伝送用のリソースセットの時間周波数位置に対応することは、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置し、または、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置し、または、
１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置し、または、
１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置し、または、
１つの同期信号ブロックと、当該同期信号ブロックに対応する少なくとも１つの共通ダウンリンク制御チャネル伝送用のリソースセットとは、占用する周波数領域リソースが同じである、請求項９または１０に記載の方法。
【請求項１２】
１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される、請求項１１に記載の方法。
【請求項１３】
前記共通ダウンリンク制御チャネルの伝送に用いられるビームと、対応する同期信号ブロックの伝送に用いられるビームとは、同じであり、または、
前記共通ダウンリンク制御チャネルの伝送に用いられるビームは、対応する同期信号ブロックのうちのＭＩＢによって指示される、請求項８に記載の方法。
【請求項１４】
前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、
前記設定情報のうちの一部の情報は、前記同期信号ブロックのうちのＭＩＢによって通知され、前記設定情報のうちの他部分の情報は、プロトコルによって事前に定義される、請求項８に記載の方法。
【請求項１５】
前記テーブルインデックスは、前記設定情報の一部またはすべての内容の組み合わせのインデックスであり、または、
前記テーブルインデックスは、前記設定情報の一部またはすべての内容のうちの各項目の内容のインデックスである、請求項１４に記載の方法。
【請求項１６】
前記目標信号は、
前記リソースセットの設定情報の一部またはすべての内容を設定する、請求項１に記載の方法。
【請求項１７】
前記目標信号は、
ＲＭＳＩ（Ｒｅｍａｉｎｉｎｇ  Ｓｙｓｔｅｍ  Ｉｎｆｏｒｍａｔｉｏｎ）、ランダムアクセスプロセスにおけるメッセージ２またはランダムアクセスプロセスにおけるメッセージ４を含む、請求項１６に記載の方法。
【請求項１８】
前記リソースセットでの共通ダウンリンク制御チャネルの伝送に用いられるビームの関連パラメータは、
前記リソースセットに対応する同期信号ブロックのＱＣＬ（Ｑｕａｓｉ−Ｃｏ−Ｌｏｃａｔｉｏｎ）パラメータによって特定される、請求項１６または１７に記載の方法。
【請求項１９】
共通ダウンリンク制御チャネル伝送用のリソースセットに関連付けられる目標信号を、ネットワーク側機器からユーザ端末に送信することと、
前記ネットワーク側機器から、共通ダウンリンク制御チャネルを前記リソースセットで前記ユーザ機器に送信することとを含む、共通ダウンリンク制御チャネル伝送方法。
【請求項２０】
前記目標信号は、
同期信号ブロックを含む、請求項１９に記載の方法。
【請求項２１】
前記リソースセットが占用するＯＦＤＭシンボルと、前記同期信号ブロックが占用するＯＦＤＭシンボルとは同じであり、かつ前記共通ダウンリンク制御チャネルの伝送周期と、前記同期信号ブロックの伝送周期とは同じである、請求項２０に記載の方法。
【請求項２２】
前記リソースセットが占用する時間周波数リソースと、前記同期信号ブロックが占用する時間周波数リソースとは、ＦＤＭである、請求項２１に記載の方法。
【請求項２３】
前記共通ダウンリンク制御チャネルと前記同期信号ブロックとは、同じＯＦＤＭシンボルで同じビームによって伝送される、請求項２１または２２に記載の方法。
【請求項２４】
前記リソースセットの設定情報のすべての内容は、プロトコルによって事前に定義され、または、
前記リソースセットの設定情報の一部またはすべての内容は、前記同期信号ブロックのうちのＭＩＢによって設定される、請求項２１または２２に記載の方法。
【請求項２５】
前記リソースセットの設定情報は、
ＣＣＥとＲＥＧとのマッピング関係、
ＰＤＣＣＨ候補リソースとＣＣＥとのマッピング関係、
ＤＭＲＳポートモード情報、
リソースサイズ情報、および、
前記同期信号ブロックに対するリソース位置のうちの１つまたは複数を含む、請求項２４に記載の方法。
【請求項２６】
前記リソースセットの設定情報は、
前記同期信号ブロックおよび／またはプロトコルによる事前定義で特定される、請求項２０に記載の方法。
【請求項２７】
１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する、請求項２６に記載の方法。
【請求項２８】
１つの同期信号ブロックのうちのＭＩＢは、当該同期信号ブロックに対応する少なくとも１つの共通ダウンリンク制御チャネル伝送用のリソースセットの時間周波数位置を通知する、請求項２７に記載の方法。
【請求項２９】
１つの同期信号ブロックが少なくとも１つの共通ダウンリンク制御チャネル伝送用のリソースセットの時間周波数位置に対応することは、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置し、または、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置し、または、
１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置し、または、
１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置し、または、
１つの同期信号ブロックと、当該同期信号ブロックに対応する少なくとも１つの共通ダウンリンク制御チャネル伝送用のリソースセットとは、占用する周波数領域リソースが同じである、請求項２７または２８に記載の方法。
【請求項３０】
１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される、請求項２９に記載の方法。
【請求項３１】
前記共通ダウンリンク制御チャネルの伝送に用いられるビームと、対応する同期信号ブロックの伝送に用いられるビームとは、同じであり、または、
前記共通ダウンリンク制御チャネルの伝送に用いられるビームは、対応する同期信号ブロックのうちのＭＩＢによって指示される、請求項２６に記載の方法。
【請求項３２】
前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、
前記設定情報のうちの一部の情報は、前記同期信号ブロックのうちのＭＩＢによって通知され、前記設定情報のうちの他部分の情報は、プロトコルによって事前に定義される、請求項２６に記載の方法。
【請求項３３】
前記テーブルインデックスは、前記設定情報の一部またはすべての内容の組み合わせのインデックスであり、または、
前記テーブルインデックスは、前記設定情報の一部またはすべての内容のうちの各項目の内容のインデックスである、請求項３２に記載の方法。
【請求項３４】
前記目標信号は、
前記リソースセットの設定情報の一部またはすべての内容を設定する、請求項２９に記載の方法。
【請求項３５】
前記目標信号は、
ＲＭＳＩ、ランダムアクセスプロセスにおけるメッセージ２またはランダムアクセスプロセスにおけるメッセージ４を含む、請求項３４に記載の方法。
【請求項３６】
前記リソースセットでの共通ダウンリンク制御チャネルの伝送に用いられるビームの関連パラメータは、
前記リソースセットに対応する同期信号ブロックのＱＣＬパラメータによって特定される、請求項３４または３５に記載の方法。
【請求項３７】
共通ダウンリンク制御チャネル伝送用のリソースセットに関連付けられる目標信号をネットワーク側機器から受信する受信モジュールと、
前記目標信号に基づいて前記リソースセットを特定し、前記ネットワーク側機器から送信される共通ダウンリンク制御チャネルを前記リソースセットで受信する特定モジュールとを含む、ユーザ端末。
【請求項３８】
前記目標信号は、
同期信号ブロックを含む、請求項３７に記載のユーザ端末。
【請求項３９】
前記リソースセットが占用するＯＦＤＭシンボルと、前記同期信号ブロックが占用するＯＦＤＭシンボルとは同じく、かつ前記共通ダウンリンク制御チャネルの伝送周期と、前記同期信号ブロックの伝送周期とは同じである、請求項３８に記載のユーザ端末。
【請求項４０】
前記リソースセットが占用する時間周波数リソースと、前記同期信号ブロックが占用する時間周波数リソースとは、ＦＤＭである、請求項３９に記載のユーザ端末。
【請求項４１】
前記共通ダウンリンク制御チャネルと前記同期信号ブロックとは、同じＯＦＤＭシンボルで同じビームによって伝送される、請求項３９または４０に記載のユーザ端末。
【請求項４２】
前記リソースセットの設定情報のすべての内容は、プロトコルによって事前に定義され、または、
前記リソースセットの設定情報の一部またはすべての内容は、前記同期信号ブロックのうちのＭＩＢによって設定される、請求項３９または４０に記載のユーザ端末。
【請求項４３】
前記リソースセットの設定情報は、
ＣＣＥとＲＥＧとのマッピング関係、
ＰＤＣＣＨ候補リソースとＣＣＥとのマッピング関係、
ＤＭＲＳポートモード情報、
リソースサイズ情報、および、
前記同期信号ブロックに対するリソース位置のうちの１つまたは複数を含む、請求項４２に記載のユーザ端末。
【請求項４４】
前記リソースセットの設定情報は、
前記同期信号ブロックおよび／またはプロトコルによる事前定義で特定される、請求項３８に記載のユーザ端末。
【請求項４５】
１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する、請求項４４に記載のユーザ端末。
【請求項４６】
１つの同期信号ブロックのうちのＭＩＢは、当該同期信号ブロックに対応する少なくとも１つの共通ダウンリンク制御チャネル伝送用のリソースセットの時間周波数位置を通知する、請求項４５に記載のユーザ端末。
【請求項４７】
１つの同期信号ブロックが少なくとも１つの共通ダウンリンク制御チャネル伝送用のリソースセットの時間周波数位置に対応することは、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置し、または、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置し、または、
１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置し、または、
１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置し、または、
１つの同期信号ブロックと、当該同期信号ブロックに対応する少なくとも１つの共通ダウンリンク制御チャネル伝送用のリソースセットとは、占用する周波数領域リソースが同じである、請求項４５または４６に記載のユーザ端末。
【請求項４８】
１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される、請求項４７に記載のユーザ端末。
【請求項４９】
前記共通ダウンリンク制御チャネルの伝送に用いられるビームと、対応する同期信号ブロックの伝送に用いられるビームとは、同じであり、または、
前記共通ダウンリンク制御チャネルの伝送に用いられるビームは、対応する同期信号ブロックのうちのＭＩＢによって指示される、請求項４４に記載のユーザ端末。
【請求項５０】
前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、
前記設定情報のうちの一部の情報は、前記同期信号ブロックのうちのＭＩＢによって通知され、前記設定情報のうちの他部分の情報は、プロトコルによって事前に定義される、請求項４４に記載のユーザ端末。
【請求項５１】
前記テーブルインデックスは、前記設定情報の一部またはすべての内容の組み合わせのインデックスであり、または、
前記テーブルインデックスは、前記設定情報の一部またはすべての内容のうちの各項目の内容のインデックスである、請求項５０に記載のユーザ端末。
【請求項５２】
前記目標信号は、
前記リソースセットの設定情報の一部またはすべての内容を設定する、請求項３７に記載のユーザ端末。
【請求項５３】
前記目標信号は、
ＲＭＳＩ、ランダムアクセスプロセスにおけるメッセージ２またはランダムアクセスプロセスにおけるメッセージ４を含む、請求項５２に記載のユーザ端末。
【請求項５４】
前記リソースセットでの共通ダウンリンク制御チャネルの伝送に用いられるビームの関連パラメータは、
前記リソースセットに対応する同期信号ブロックのＱＣＬパラメータによって特定される、請求項５２または５３に記載のユーザ端末。
【請求項５５】
共通ダウンリンク制御チャネル伝送用のリソースセットに関連付けられる目標信号をユーザ端末に送信する第１送信モジュールと、
共通ダウンリンク制御チャネルを前記リソースセットで前記ユーザ機器に送信する第２送信モジュールとを含む、ネットワーク側機器。
【請求項５６】
前記目標信号は、
同期信号ブロックを含む、請求項５５に記載のネットワーク側機器。
【請求項５７】
前記リソースセットが占用するＯＦＤＭシンボルと、前記同期信号ブロックが占用するＯＦＤＭシンボルとは同じであり、かつ前記共通ダウンリンク制御チャネルの伝送周期と、前記同期信号ブロックの伝送周期とは同じである、請求項５６に記載のネットワーク側機器。
【請求項５８】
前記リソースセットが占用する時間周波数リソースと、前記同期信号ブロックが占用する時間周波数リソースとは、ＦＤＭである、請求項５７に記載のネットワーク側機器。
【請求項５９】
前記共通ダウンリンク制御チャネルと前記同期信号ブロックとは、同じＯＦＤＭシンボルで同じビームによって伝送される、請求項５７または５８に記載のネットワーク側機器。
【請求項６０】
前記リソースセットの設定情報のすべての内容は、プロトコルによって事前に定義され、または、
前記リソースセットの設定情報の一部またはすべての内容は、前記同期信号ブロックのうちのＭＩＢによって設定される、請求項５７または５８に記載のネットワーク側機器。
【請求項６１】
前記リソースセットの設定情報は、
ＣＣＥとＲＥＧとのマッピング関係、
ＰＤＣＣＨ候補リソースとＣＣＥとのマッピング関係、
ＤＭＲＳポートモード情報、
リソースサイズ情報、および、
前記同期信号ブロックに対するリソース位置のうちの１つまたは複数を含む、請求項６０に記載のネットワーク側機器。
【請求項６２】
前記リソースセットの設定情報は、
前記同期信号ブロックおよび／またはプロトコルによる事前定義で特定される、請求項５６に記載のネットワーク側機器。
【請求項６３】
１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する、請求項６２に記載のネットワーク側機器。
【請求項６４】
１つの同期信号ブロックのうちのＭＩＢは、当該同期信号ブロックに対応する少なくとも１つの共通ダウンリンク制御チャネル伝送用のリソースセットの時間周波数位置を通知する、請求項６３に記載のネットワーク側機器。
【請求項６５】
１つの同期信号ブロックが少なくとも１つの共通ダウンリンク制御チャネル伝送用のリソースセットの時間周波数位置に対応することは、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置し、または、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置し、または、
１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置し、または、
１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置し、または、
１つの同期信号ブロックと、当該同期信号ブロックに対応する少なくとも１つの共通ダウンリンク制御チャネル伝送用のリソースセットとは、占用する周波数領域リソースが同じである、請求項６３または６４に記載のネットワーク側機器。
【請求項６６】
１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される、請求項６５に記載のネットワーク側機器。
【請求項６７】
前記共通ダウンリンク制御チャネルの伝送に用いられるビームと、対応する同期信号ブロックの伝送に用いられるビームとは、同じであり、または、
前記共通ダウンリンク制御チャネルの伝送に用いられるビームは、対応する同期信号ブロックのうちのＭＩＢによって指示される、請求項６２に記載のネットワーク側機器。
【請求項６８】
前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、
前記設定情報のうちの一部の情報は、前記同期信号ブロックのうちのＭＩＢによって通知され、前記設定情報のうちの他部分の情報は、プロトコルによって事前に定義される、請求項６２に記載のネットワーク側機器。
【請求項６９】
前記テーブルインデックスは、前記設定情報の一部またはすべての内容の組み合わせのインデックスであり、または、
前記テーブルインデックスは、前記設定情報の一部またはすべての内容のうちの各項目の内容のインデックスである、請求項６８に記載のネットワーク側機器。
【請求項７０】
前記目標信号は、
前記リソースセットの設定情報の一部またはすべての内容を設定する、請求項５５に記載のネットワーク側機器。
【請求項７１】
前記目標信号は、
ＲＭＳＩ、ランダムアクセスプロセスにおけるメッセージ２またはランダムアクセスプロセスにおけるメッセージ４を含む、請求項７０に記載のネットワーク側機器。
【請求項７２】
前記リソースセットでの共通ダウンリンク制御チャネルの伝送に用いられるビームの関連パラメータは、
前記リソースセットに対応する同期信号ブロックのＱＣＬパラメータによって特定される、請求項７０または７１に記載のネットワーク側機器。
【請求項７３】
プロセッサと、トランシーバと、メモリと、ユーザインタフェースと、バスインタフェースを含むユーザ端末において、
前記プロセッサは、前記メモリからプログラムを読み取ることによって、
共通ダウンリンク制御チャネル伝送用のリソースセットに関連付けられる目標信号を、前記トランシーバでネットワーク側機器から受信するプロセスと、
前記目標信号に基づいて前記リソースセットを特定し、前記ネットワーク側機器から送信される共通ダウンリンク制御チャネルを前記リソースセットで前記トランシーバによって受信するプロセスとを実行する、ユーザ端末。
【請求項７４】
プロセッサと、トランシーバと、メモリと、ユーザインタフェースと、バスインタフェースを含むネットワーク側機器において、
前記プロセッサは、前記メモリからプログラムを読み取ることによって、
共通ダウンリンク制御チャネル伝送用のリソースセットに関連付けられる目標信号を、前記トランシーバでユーザ端末に送信するプロセスと、
共通ダウンリンク制御チャネルを前記リソースセットで前記ユーザ機器に前記トランシーバによって送信するプロセスとを実行する、ネットワーク側機器。
【請求項７５】
コンピュータプログラムが記憶されているコンピュータ読み取り可能な記憶媒体であって、
当該プログラムがプロセッサによって実行されると、
共通ダウンリンク制御チャネル伝送用のリソースセットに関連付けられる目標信号を、ネットワーク側機器から受信するステップと、
前記目標信号に基づいて前記リソースセットを特定し、前記ネットワーク側機器から送信される共通ダウンリンク制御チャネルを前記リソースセットで受信するステップとが実現される、コンピュータ読み取り可能な記憶媒体。
【請求項７６】
コンピュータプログラムが記憶されているコンピュータ読み取り可能な記憶媒体であって、
当該プログラムがプロセッサによって実行されると、
共通ダウンリンク制御チャネル伝送用のリソースセットに関連付けられる目標信号をユーザ端末に送信するステップと、
共通ダウンリンク制御チャネルを前記リソースセットで前記ユーザ機器に送信するステップとが実現される、コンピュータ読み取り可能な記憶媒体。
【発明の詳細な説明】
【技術分野】
【０００１】
本願は、２０１７年６月１６日に中国特許庁に提出された中国特許出願２０１７１０４５７７８３．Ｘの優先権を主張し、その全ての内容が援用によりここに取り込まれる。
本開示は、通信技術分野に係り、特に共通ダウンリンク制御チャネル伝送方法及び関連機器に係る。
【背景技術】
【０００２】
ＬＴＥ（登録商標）（Ｌｏｎｇ  Ｔｅｒｍ  Ｅｖｏｌｕｔｉｏｎ）システムにおいて、共通ダウンリンク制御チャネルは、制御エリア内のＣＳＳ（Ｃｏｍｍｏｎ  Ｓｅａｒｃｈ  Ｓｐａｃｅ）内で伝送され、かつ全方向性アンテナでネットワーク側機器から送信され、ネットワーク側機器に属するすべてのユーザ端末は、任意の方向で共通ダウンリンク制御チャネルを検出して受信することができる。このように、ＣＳＳ内での伝送しかできないため、余分なシグナリングで通知を行う必要がない。現在、共通ダウンリンク制御チャネル伝送の柔軟性が劣ることが分かる。
【発明の概要】
【発明が解決しようとする課題】
【０００３】
本開示の目的は、共通ダウンリンク制御チャネル伝送の柔軟性が劣るという問題を解決するために、共通ダウンリンク制御チャネル伝送方法及び関連機器を提供することにある。
【課題を解決するための手段】
【０００４】
上記目的を達成するために、本開示の実施例は、共通ダウンリンク制御チャネル伝送方法を提供する。当該方法において、共通ダウンリンク制御チャネル伝送用のリソースセットに関連付けられる目標信号を、ユーザ端末がネットワーク側機器から受信することと、前記ユーザ機器が、前記目標信号に基づいて前記リソースセットを特定し、前記ネットワーク側機器から送信される共通ダウンリンク制御チャネルを前記リソースセットで受信することとを含む。
【０００５】
一部の選択可能な実施例において、前記目標信号は、同期信号ブロックを含む。
【０００６】
一部の選択可能な実施例において、前記リソースセットが占用するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルと、前記同期信号ブロックが占用するＯＦＤＭシンボルとは同じく、かつ前記共通ダウンリンク制御チャネルの伝送周期と、前記同期信号ブロックの伝送周期とは同じである。
【０００７】
一部の選択可能な実施例において、前記リソースセットが占用する時間周波数リソースと、前記同期信号ブロックが占用する時間周波数リソースとは、ＦＤＭ（Ｆｒｅｑｕｅｎｃｙ  Ｄｉｖｉｓｉｏｎ  Ｍｕｌｔｉｐｌｅｘｉｎｇ）である。
【０００８】
一部の選択可能な実施例において、前記共通ダウンリンク制御チャネルと前記同期信号ブロックとは、同じＯＦＤＭシンボルで同じビームによって伝送される。
【０００９】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢ（Ｍａｓｔｅｒ  Ｉｎｆｏｒｍａｔｉｏｎ  Ｂｌｏｃｋ）によって設定される。
【００１０】
一部の選択可能な実施例において、前記リソースセットの設定情報は、制御チャネルエレメントＣＣＥ（Ｃｏｎｔｒｏｌ  Ｃｈａｎｎｅｌ  Ｅｌｅｍｅｎｔ）とリソースエレメント群ＲＥＧ（Ｒｅｓｏｕｒｃｅ  Ｅｌｅｍｅｎｔ  Ｇｒｏｕｐ）とのマッピング関係、物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）候補リソースとＣＣＥとのマッピング関係、復調参照信号ＤＭＲＳ（Ｄｅｍｏｄｕｌａｔｉｏｎ  Ｒｅｆｅｒｅｎｃｅ  Ｓｉｇｎａｌ）ポートモード情報、リソースサイズ情報、および、前記同期信号ブロックに対するリソース位置のうちの１つまたは複数を含む。
【００１１】
一部の選択可能な実施例において、前記リソースセットの設定情報は、前記同期信号ブロックおよび／またはプロトコルによる事前定義で特定される。
【００１２】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【００１３】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【００１４】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【００１５】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【００１６】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【００１７】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【００１８】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【００１９】
一部の選択可能な実施例において、前記目標信号は、前記リソースセットの設定情報の一部またはすべての内容を設定する。
【００２０】
一部の選択可能な実施例において、前記目標信号は、ＲＭＳＩ（Ｒｅｍａｉｎｉｎｇ  Ｓｙｓｔｅｍ  Ｉｎｆｏｒｍａｔｉｏｎ）、ランダムアクセスプロセスにおけるメッセージ２またはランダムアクセスプロセスにおけるメッセージ４を含む。
【００２１】
一部の選択可能な実施例において、前記リソースセットでの共通ダウンリンク制御チャネルの伝送に用いられるビームの関連パラメータは、前記リソースセットに対応する同期信号ブロックのＱＣＬ（Ｑｕａｓｉ−Ｃｏ−Ｌｏｃａｔｉｏｎ）パラメータによって特定される。
【００２２】
本開示の実施例において、共通ダウンリンク制御チャネル伝送方法をさらに提供する。当該方法において、共通ダウンリンク制御チャネル伝送用のリソースセットに関連付けられる目標信号を、ネットワーク側機器からユーザ端末に送信することと、前記ネットワーク側機器から、共通ダウンリンク制御チャネルを前記リソースセットで前記ユーザ機器に送信することとを含む。
【００２３】
一部の選択可能な実施例において、前記目標信号は、同期信号ブロックを含む。
【００２４】
一部の選択可能な実施例において、前記リソースセットが占用するＯＦＤＭシンボルと、前記同期信号ブロックが占用するＯＦＤＭシンボルとは同じであり、かつ前記共通ダウンリンク制御チャネルの伝送周期と、前記同期信号ブロックの伝送周期とは同じである。
【００２５】
一部の選択可能な実施例において、前記リソースセットが占用する時間周波数リソースと、前記同期信号ブロックが占用する時間周波数リソースとは、ＦＤＭである。
【００２６】
一部の選択可能な実施例において、前記共通ダウンリンク制御チャネルと前記同期信号ブロックとは、同じＯＦＤＭシンボルで同じビームによって伝送される。
【００２７】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【００２８】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【００２９】
一部の選択可能な実施例において、前記リソースセットの設定情報は、前記同期信号ブロックおよび／またはプロトコルによる事前定義で特定される。
【００３０】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【００３１】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【００３２】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【００３３】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【００３４】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【００３５】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【００３６】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【００３７】
一部の選択可能な実施例において、前記目標信号は、前記リソースセットの設定情報の一部またはすべての内容を設定する。
【００３８】
一部の選択可能な実施例において、前記目標信号は、ＲＭＳＩ、ランダムアクセスプロセスにおけるメッセージ２またはランダムアクセスプロセスにおけるメッセージ４を含む。
【００３９】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【００４０】
本開示の実施例において、ユーザ端末をさらに提供する。当該ユーザ端末は、共通ダウンリンク制御チャネル伝送用のリソースセットに関連付けられる目標信号をネットワーク側機器から受信する受信モジュールと、前記目標信号に基づいて前記リソースセットを特定し、前記ネットワーク側機器から送信される共通ダウンリンク制御チャネルを前記リソースセットで受信する特定モジュールとを含む。
【００４１】
一部の選択可能な実施例において、前記目標信号は、同期信号ブロックを含む。
【００４２】
一部の選択可能な実施例において、前記リソースセットが占用するＯＦＤＭシンボルと、前記同期信号ブロックが占用するＯＦＤＭシンボルとは同じく、かつ前記共通ダウンリンク制御チャネルの伝送周期と、前記同期信号ブロックの伝送周期とは同じである。
【００４３】
一部の選択可能な実施例において、前記リソースセットが占用する時間周波数リソースと、前記同期信号ブロックが占用する時間周波数リソースとは、ＦＤＭである。
【００４４】
一部の選択可能な実施例において、前記共通ダウンリンク制御チャネルと前記同期信号ブロックとは、同じＯＦＤＭシンボルで同じビームによって伝送される。
【００４５】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【００４６】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【００４７】
一部の選択可能な実施例において、前記リソースセットの設定情報は、前記同期信号ブロックおよび／またはプロトコルによる事前定義で特定される。
【００４８】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【００４９】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【００５０】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【００５１】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【００５２】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【００５３】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【００５４】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【００５５】
一部の選択可能な実施例において、前記目標信号は、前記リソースセットの設定情報の一部またはすべての内容を設定する。
【００５６】
一部の選択可能な実施例において、前記目標信号は、ＲＭＳＩ、ランダムアクセスプロセスにおけるメッセージ２またはランダムアクセスプロセスにおけるメッセージ４を含む。
【００５７】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【００５８】
本開示の実施例において、ネットワーク側機器をさらに提供する。当該ネットワーク側機器は、共通ダウンリンク制御チャネル伝送用のリソースセットに関連付けられる目標信号をユーザ端末に送信する第１送信モジュールと、共通ダウンリンク制御チャネルを前記リソースセットで前記ユーザ機器に送信する第２送信モジュールとを含む。
【００５９】
一部の選択可能な実施例において、前記目標信号は、同期信号ブロックを含む。
【００６０】
一部の選択可能な実施例において、前記リソースセットが占用するＯＦＤＭシンボルと、前記同期信号ブロックが占用するＯＦＤＭシンボルとは同じであり、かつ前記共通ダウンリンク制御チャネルの伝送周期と、前記同期信号ブロックの伝送周期とは同じである。
【００６１】
一部の選択可能な実施例において、前記リソースセットが占用する時間周波数リソースと、前記同期信号ブロックが占用する時間周波数リソースとは、ＦＤＭである。
【００６２】
一部の選択可能な実施例において、前記共通ダウンリンク制御チャネルと前記同期信号ブロックとは、同じＯＦＤＭシンボルで同じビームによって伝送される。
【００６３】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【００６４】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【００６５】
一部の選択可能な実施例において、前記リソースセットの設定情報は、前記同期信号ブロックおよび／またはプロトコルによる事前定義で特定される。
【００６６】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【００６７】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【００６８】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【００６９】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【００７０】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【００７１】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【００７２】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【００７３】
一部の選択可能な実施例において、前記目標信号は、前記リソースセットの設定情報の一部またはすべての内容を設定する。
【００７４】
一部の選択可能な実施例において、前記目標信号は、ＲＭＳＩ、ランダムアクセスプロセスにおけるメッセージ２またはランダムアクセスプロセスにおけるメッセージ４を含む。
【００７５】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【００７６】
本開示の実施例において、プロセッサと、トランシーバと、メモリと、ユーザインタフェースと、バスインタフェースを含むユーザ端末をさらに提供する。前記プロセッサは、前記メモリからプログラムを読み取ることによって、共通ダウンリンク制御チャネル伝送用のリソースセットに関連付けられる目標信号を、前記トランシーバでネットワーク側機器から受信するプロセスと、前記目標信号に基づいて前記リソースセットを特定し、前記ネットワーク側機器から送信される共通ダウンリンク制御チャネルを前記リソースセットで前記トランシーバによって受信するプロセスとを実行する。
【００７７】
本開示の実施例において、プロセッサと、トランシーバと、メモリと、ユーザインタフェースと、バスインタフェースを含むネットワーク側機器をさらに提供する。前記プロセッサは、前記メモリからプログラムを読み取ることによって、共通ダウンリンク制御チャネル伝送用のリソースセットに関連付けられる目標信号を、前記トランシーバでユーザ端末に送信するプロセスと、共通ダウンリンク制御チャネルを前記リソースセットで前記ユーザ機器に前記トランシーバによって送信するプロセスとを実行する。
【００７８】
本開示の実施例において、コンピュータプログラムが記憶されているコンピュータ読み取り可能な記憶媒体をさらに提供する。当該プログラムがプロセッサによって実行されると、共通ダウンリンク制御チャネル伝送用のリソースセットに関連付けられる目標信号をネットワーク側機器から受信するステップと、前記目標信号に基づいて前記リソースセットを特定し、前記ネットワーク側機器から送信される共通ダウンリンク制御チャネルを前記リソースセットで受信するステップとが実現される。
【００７９】
本開示の実施例において、コンピュータプログラムが記憶されているコンピュータ読み取り可能な記憶媒体をさらに提供する。当該プログラムがプロセッサによって実行されると、共通ダウンリンク制御チャネル伝送用のリソースセットに関連付けられる目標信号をユーザ端末に送信するステップと、共通ダウンリンク制御チャネルを前記リソースセットで前記ユーザ機器に送信するステップとが実現される。
【発明の効果】
【００８０】
本開示の実施例において、ユーザ端末は、共通ダウンリンク制御チャネル伝送用のリソースセットに関連付けられる目標信号をネットワーク側機器から受信し、前記目標信号に基づいて前記リソースセットを特定し、前記ネットワーク側機器から送信される共通ダウンリンク制御チャネルを前記リソースセットで受信する。共通ダウンリンク制御チャネル伝送用のリソースセットが目標信号に関連付けられるため、当該リソースセットが柔軟に調整可能であり、共通ダウンリンク制御チャネル伝送の柔軟性を向上させる。
【図面の簡単な説明】
【００８１】
【図１】本開示の実施例の応用可能なネットワーク構造図である。
【図２】本開示の実施例における共通ダウンリンク制御チャネル伝送方法のフローチャートである。
【図３】本開示の実施例における共通ダウンリンク制御チャネル伝送図である。
【図４】本開示の実施例における別の共通ダウンリンク制御チャネル伝送図である。
【図５】本開示の実施例における別の共通ダウンリンク制御チャネル伝送図である。
【図６】本開示の実施例における別の共通ダウンリンク制御チャネル伝送図である。
【図７】本開示の実施例における別の共通ダウンリンク制御チャネル伝送図である。
【図８】本開示の実施例における別の共通ダウンリンク制御チャネル伝送図である。
【図９】本開示の実施例における別の共通ダウンリンク制御チャネル伝送方法のフローチャートである。
【図１０】本開示の実施例におけるユーザ端末の構造図である。
【図１１】本開示の実施例におけるネットワーク側機器の構造図である。
【図１２】本開示の実施例における別のユーザ端末の構造図である。
【図１３】本開示の実施例における別のネットワーク側機器の構造図である。
【発明を実施するための形態】
【００８２】
本開示の解決しようとする技術課題、技術手段および利点をより明確にするために、以下、図面および具体的な実施例を通じて詳細に記載する。
【００８３】
図１を参照する。図１は、本開示の実施例の応用可能なネットワーク構造図である。図１に示すように、ＵＥ（Ｕｓｅｒ  Ｅｑｕｉｐｍｅｎｔ）１１とネットワーク側機器１２が含まれる。ここで、ユーザ端末１１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例において、ユーザ端末１１の具体的な種類を限定しない。ネットワーク側機器１２は、マクロ基地局、ＬＴＥ  ｅＮＢ、５Ｇ  ＮＲ  ＮＢなどの基地局である。ネットワーク側機器１２は、ＬＰＮ（ｌｏｗ  ｐｏｗｅｒ  ｎｏｄｅ）ｐｉｃｏ、ｆｅｍｔｏなどのスモール基地局であってもよい。または、ネットワーク側機器１２は、ＡＰ（ａｃｃｅｓｓ  ｐｏｉｎｔ）であってもよい。基地局は、ＣＵ（ｃｅｎｔｒａｌ  ｕｎｉｔ）とその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例において、ネットワーク側機器１２の具体的な種類を限定しない。
【００８４】
図２を参照する。図２は、本開示の実施例における共通ダウンリンク制御チャネル伝送方法のフローチャートである。図２に示すように、当該方法において、共通ダウンリンク制御チャネル伝送用のリソースセット（ＣＯＲＥＳＥＴ）に関連付けられる目標信号を、ユーザ端末がネットワーク側機器から受信するステップ２０１と、ユーザ機器が、前記目標信号に基づいて前記リソースセットを特定し、前記ネットワーク側機器から送信される共通ダウンリンク制御チャネルを前記リソースセットで受信するステップ２０２を含む。
【００８５】
ここで、上記目標信号は、同期信号ブロック（ＳＳ  ｂｌｏｃｋ）、ＲＭＳＩ、ランダムアクセスプロセスにおけるメッセージ２（Ｍｓｇ２）またはランダムアクセスプロセスにおけるメッセージ４（Ｍｓｇ４）などである。上記共通ダウンリンク制御チャネルは、ｃｏｍｍｏｎ  ＰＤＣＣＨ（ｃｏｍｍｏｎ  Ｐｈｙｓｉｃａｌ  Ｄｏｗｎｌｉｎｋ  Ｃｏｎｔｒｏｌ  Ｃｈａｎｎｅｌ）である。上記リソースセットは、上記共通ダウンリンク制御チャネル伝送用のリソースとして理解できる。
【００８６】
また、上記リソースセットと前記目標信号との関連として、上記リソースセットと上記目標信号とは、占用するリソースに特定の関係が存在し、上記リソースセットが上記目標信号によって指示され、上記リソースセットでの共通ダウンリンク制御チャネルの伝送に用いられるビームと、上記目標信号の伝送に用いられるビームとは特定の関係が存在し、上記リソースセットが上記目標信号とはプロトコルによって事前に定義される特定の関係が存在しするが、これに対し、本開示の実施例において限定しない。さらに、上記リソースセットと前記目標信号との関連として、ユーザ端末によって上記目標信号から上記リソースセットの特定ができると理解してもよい。
【００８７】
ユーザ端末は、上記目標信号を受信すると、上記リソースセットを特定し、さらに、ネットワーク側機器から送信される共通ダウンリンク制御チャネルを当該リソースセットで受信することができる。かつ上記リソースセットを明示的または暗黙的に特定することができる。
【００８８】
なお、上記方法において、共通ダウンリンク制御チャネル伝送用のリソースセットが前記目標信号に関連付けられるため、ダウンリンク制御チャネル伝送用のリソースを目標信号に基づいて柔軟に調整することが実現され、ダウンリンク制御チャネル伝送の柔軟性を向上させることができる。かつ共通ダウンリンク制御チャネル伝送用のリソースセットが前記目標信号に関連付けられるため、ユーザ端末は、目標信号から当該リソースセットを特定することができる。よって、ネットワーク側機器からの全方向送信およびビーム走査を必要とせずに、ユーザ端末は、ダウンリンク制御チャネルを受信し、伝送リソース、ユーザ端末およびネットワーク側機器の電力消費を節約することができる。かつ共通ダウンリンク制御チャネルをマルチビームで伝送することも実現される。
【００８９】
１つの選択可能な実施形態として、上記目標信号は、同期信号ブロックを含む。
【００９０】
当該実施形態において、共通ダウンリンク制御チャネル伝送用のリソースセットと同期信号ブロックの関連付けが実現されるため、ユーザ端末は、同期信号ブロックから共通ダウンリンク制御チャネル伝送用のリソースセットを特定し、シグナリング伝送を減少して伝送リソースを節約することができる。また、上記同期信号ブロックは、ＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）および、ＭＩＢが搬送されるＰＢＣＨ（Ｐｈｙｓｉｃａｌ  Ｂｒｏａｄｃａｓｔ  Ｃｈａｎｎｅｌ）を含む。
【００９１】
一部の選択可能な実施例において、前記リソースセットが占用するＯＦＤＭシンボルと、前記同期信号ブロックが占用するＯＦＤＭシンボルとは同じく、かつ前記共通ダウンリンク制御チャネルの伝送周期と、前記同期信号ブロックの伝送周期とは同じである。
【００９２】
当該実施形態において、共通ダウンリンク制御チャネルと同期信号ブロックとは同じＯＦＤＭシンボルを占用することが実現されるため、ユーザ端末は、直接、同期信号ブロックを受信するＯＦＤＭシンボルで共通ダウンリンク制御チャネルを受信し、共通ダウンリンク制御チャネル伝送の柔軟性を向上させるとともに、ビーム走査が軽減されまたは必要でないため、ユーザ端末とネットワーク側機器の電力消費を減少させることができる。
【００９３】
一部の選択可能な実施例において、前記リソースセットが占用する時間周波数リソースと、前記同期信号ブロックが占用する時間周波数リソースとは、ＦＤＭである。
【００９４】
当該実施形態において、上記リソースセットと同期信号ブロックとは占用する時間周波数リソースがＦＤＭであることが実現される。すなわち上記リソースセットと同期信号ブロックとは同じＯＦＤＭシンボルを占用するが、周波数領域で異なる周波数領域リソースを占用するため、ネットワークリソースを節約することができる。
【００９５】
一部の選択可能な実施例において、前記共通ダウンリンク制御チャネルと前記同期信号ブロックとは、同じＯＦＤＭシンボルで同じビームによって伝送される。
【００９６】
当該実施形態において、共通ダウンリンク制御チャネルと前記同期信号ブロックとは同じビームで伝送されることが実現されるため、共通ダウンリンク制御チャネルの伝送性能を向上させ、かつユーザ端末は、同じビームで前記共通ダウンリンク制御チャネルと前記同期信号ブロックを受信し、ビーム訓練とビーム切り替えを減少することができる。
【００９７】
一部の選択可能な実施例において、前記リソースセットの設定情報のすべての内容は、プロトコルによって事前に定義され、または前記リソースセットの設定情報の一部またはすべての内容は、前記同期信号ブロックのうちのＭＩＢによって設定される。
【００９８】
当該実施形態において、リソースセットの設定情報がプロトコルによって事前に定義されることが実現されるため、シグナリングオーバヘッドを減少することができる。また、リソースセットの設定情報の一部またはすべての内容がＭＩＢによって設定されることも実現されるため、リソースセットの柔軟性を向上させることができる。かつユーザ端末は、プロトコルによる事前定義または上記ＭＩＢによって上記設定情報を特定すると、上記設定情報から、上記リソースセット内で共通ダウンリンク制御チャネルを検出して受信することができる。
【００９９】
一部の選択可能な実施例において、前記リソースセットの設定情報は、ＣＣＥとＲＥＧとのマッピング関係、ＰＤＣＣＨ候補リソース（ｃａｎｄｉｄａｔｅ）とＣＣＥとのマッピング関係、ＤＭＲＳポートモード情報、リソースサイズ情報、および、前記同期信号ブロックに対するリソース位置のうちの１つまたは複数を含む。
【０１００】
上記設定情報から、ユーザ端末は、リソースセットの設定を正確に特定し、共通ダウンリンク制御チャネルを正確に受信することができる。また、上記候補リソース（ｃａｎｄｉｄａｔｅ）は、候補位置と称してもよい。
【０１０１】
以上紹介した、リソースセットが占用するＯＦＤＭシンボルと前記同期信号ブロックが占用するＯＦＤＭシンボルとは同じである実施形態について、図３と図４の例示を参照する。当該例において、共通ダウンリンク制御チャネルは、ＳＳ  ｂｌｏｃｋに関連する。共通ダウンリンク制御チャネルを伝送するリソースセット（ＣＯＲＥＳＥＴ）が占用するＯＦＤＭシンボルは、ＳＳ  ｂｌｏｃｋが占用するＯＦＤＭシンボルとは同じであり、リソースセットが占用する時間周波数リソースとＳＳ  ｂｌｏｃｋが占用する時間周波数リソースとはＦＤＭである。共通ダウンリンク制御チャネルと、対応するＳＳ  ｂｌｏｃｋとは、伝送に用いられるビーム方向が同じであり、伝送周期も同じである。図３または図４を参照する。仮に１つの同期信号ブロック群（ＳＳ  ｂｌｏｃｋ  ｂｕｒｓｔ）に含まれるＳＳ  ｂｌｏｃｋの数が２であり、ＳＳ  ｂｌｏｃｋの伝送周期Ｎが２０個のｓｌｏｔであり、ｓｌｏｔの長さが１４個のＯＦＤＭシンボルである。図３または図４によると、共通ダウンリンク制御チャネル伝送用のＣＯＲＥＳＥＴは、その時間領域位置がＳＳ  ｂｌｏｃｋの時間領域位置とは同じであるが、周波数領域位置が異なる。図では、ＣＯＲＥＳＥＴ１で伝送される共通ダウンリンク制御チャネルとＳＳ  ｂｌｏｃｋ１とは同じビームで伝送され、ＣＯＲＥＳＥＴ２で伝送される共通ダウンリンク制御チャネルとＳＳ  ｂｌｏｃｋ２とは同じビームで伝送される。共通ダウンリンク制御チャネルの伝送周期は、ＳＳ  ｂｌｏｃｋとは同じである。
【０１０２】
また、当該例において、ＣＯＲＥＳＥＴのリソース割り当て（サイズが一定でありかつＳＳ  ｂｌｏｃｋの周波数領域の片側または両側に位置する）、マッピングルール、使用されるＤＭＲＳ  ｐａｔｔｅｒｎなど、ＣＯＲＥＳＥＴで伝送される共通ダウンリンク制御チャネルの関連パラメータは、プロトコルによって事前に定義される。
【０１０３】
或いは、ＣＯＲＥＳＥＴの設定情報は、ＭＩＢによって通知される。たとえば、ＣＯＲＥＳＥＴが占用する時間周波数領域リソースのサイズおよびＳＳ  ｂｌｏｃｋが占用するリソースに対するオフセット値を通知する。このような場合、ユーザ端末は、まず、ＭＩＢを正しく受信してＣＯＲＥＳＥＴの設定情報を解析し、さらに、ＳＳ  ｂｌｏｃｋとは同じビームで共通ダウンリンク制御チャネルを検出して受信する必要がある。ユーザ端末は、ＳＳ  ｂｌｏｃｋが現れる時間領域位置で、事前に定義されるパラメータによって設定されるリソース位置またはＭＩＢから通知されるリソース位置で、対応するＳＳ  ｂｌｏｃｋが占用するビームで共通ダウンリンク制御チャネルを検出して受信する。
【０１０４】
一部の選択可能な実施例において、前記リソースセットの設定情報は、前記同期信号ブロックおよび／またはプロトコルによる事前定義で特定される。
【０１０５】
ここで、上記設定情報は、上記実施形態に記載の設定情報のすべてまたは一部の内容を含み、かつ上記リソースセットの時間領域情報をさらに含んでもよい。当該時間領域情報は、上記同期信号ブロックが占用する時間領域位置とは特定の関係が存在する。
【０１０６】
当該実施形態において、設定情報が前記同期信号ブロックおよび／またはプロトコルによる事前定義で特定されるため、ユーザ端末は、上記同期信号ブロックおよび／またはプロトコルによって事前に定義される内容からリソースセットを特定し、さらに共通ダウンリンク制御チャネルを受信することができる。かつユーザ端末は、プロトコルによる事前定義または上記ＭＩＢによって上記設定情報を特定すると、上記リソースセットで共通ダウンリンク制御チャネルを検出して受信することができる。さらに、当該設定情報に基づいて上記リソースセットを特定し、当該リソースセットで共通ダウンリンク制御チャネルを検出して受信することができる。
【０１０７】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【０１０８】
ここで、上記ＭＩＢによって明示的に指示することは、上記設定情報を指示する指示情報が当該ＭＩＢに含まれることである。たとえば、上記同期信号ブロックのビーム関連パラメータＱＣＬは、共通ダウンリンク制御チャネルのＤＭＲＳと同期信号ブロックとの特定の関係を指示する。よって、ユーザ端末は、上記同期信号ブロックから上記リソースセットを特定することができる。または、上記暗黙的指示とは、上記設定情報と上記ＭＩＢ伝送に占用されるリソースの設定情報とは所定関係が存在することである。たとえば、共通ダウンリンク制御チャネルの周期がＭＩＢの周期とは同じであり、または使用されるビームが同じである。すなわち、ユーザ端末は、ＭＩＢから上記リソースセットの設定情報を特定することができ、暗黙的指示によって、ＭＩＢのオーバヘッドを節約することができる。上記設定情報と前記同期信号ブロックとは、プロトコルによって事前に定義される関係が存在することは、上記設定情報と、同期信号ブロックが占用するリソースの設定情報とはプロトコルによって事前に定義される関係が存在することである。
【０１０９】
当該実施形態において、前記設定情報が前記同期信号ブロックのうちのＭＩＢによって明示的および／または暗黙的に指示され、または、前記設定情報と前記同期信号ブロックとは、プロトコルによって事前に定義される関係が存在する。よって、リソースセットの柔軟性を向上させることができる。
【０１１０】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【０１１１】
当該実施形態において、リソースセットの時間周波数位置がＭＩＢによって通知されるため、共通ダウンリンク制御チャネルの柔軟性をさらに向上させることができる。
【０１１２】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【０１１３】
当該実施形態において、１つの同期信号ブロックが少なくとも１つの共通ダウンリンク制御チャネル伝送用のリソースセットの時間周波数位置に対応することが実現される。すなわち、ユーザ端末は、１つの同期信号ブロックから、少なくとも１つのダウンリンク制御チャネル伝送用のリソースセットの時間周波数位置を特定し、少なくとも１つの共通ダウンリンク制御チャネルを受信することができる。さらに、１つの同期信号ブロックと、対応する少なくとも１つのｓｌｏｔとの関係が実現され、共通ダウンリンク制御チャネル伝送の柔軟性をさらに向上させることができる。また、以上記載した同期信号ブロックとリソースセットとの関係は、プロトコルによって事前に定義され、ユーザ端末によって事前に設定されうる。
【０１１４】
なお、当該実施形態において、同期信号ブロックとリソースセットとは占用する周波数領域リソースが同じであることは、以上限定したｓｌｏｔ位置に関連付けて実現されてもよい。例えば、１つの同期信号ブロックに対応する少なくとも１つの共通ダウンリンク制御チャネル伝送用のリソースセットは、当該同期アクセスブロックを伝送するｓｌｏｔ以外の１つまたは複数のｓｌｏｔに位置し、かつ、１つの同期信号ブロックと、当該同期信号ブロックに対応する少なくとも１つの共通ダウンリンク制御チャネル伝送用のリソースセットとは、占用する周波数領域リソースは、同じである。かつ、上記１つの同期信号ブロックと、当該同期信号ブロックに対応する少なくとも１つの共通ダウンリンク制御チャネル伝送用のリソースセットとは、占用する周波数領域リソースが同じであり、リソースセットが占用する周波数領域リソースを指示する必要がないため、シグナリングオーバヘッドを減少することができる。ユーザ端末は、受信した同期信号ブロックの周波数領域リソースに基づいて、対応する時間領域リソースのうちの同じ周波数領域リソースで共通ダウンリンク制御チャネルを受信することができる。
【０１１５】
なお、当該実施形態において、上記同期信号ブロックと、当該同期信号ブロックに対応する少なくとも１つの共通ダウンリンク制御チャネル伝送用のリソースセットとの関係は、上記ＭＩＢによって通知され、プロトコルによって事前に定義されうるが、これに対し、本開示の実施例において限定しない。
【０１１６】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【０１１７】
ここで、共通ダウンリンク制御チャネル伝送用のリソースセットの周期がＭＩＢによって通知され、または、プロトコルによって事前に定義されるため、共通ダウンリンク制御チャネルの柔軟性をさらに向上させることができる。
【０１１８】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【０１１９】
当該実施形態において、共通ダウンリンク制御チャネルの伝送に用いられるビームと、対応する同期信号ブロックの伝送に用いられるビームとは同じであるため、ユーザ端末は、共通ダウンリンク制御チャネルと同期信号ブロックを同じでビームで受信し、ビーム切り替えを減少することができる。また、共通ダウンリンク制御チャネルの伝送に用いられるビームが、対応する同期信号ブロックのうちのＭＩＢによって指示されるため、同期信号ブロックと共通ダウンリンク制御チャネルを異なるビームで送信することが実現され、かつユーザ端末は、同期信号ブロックと共通ダウンリンク制御チャネルを異なるビームで受信し、伝送の柔軟性を向上させることができる。
【０１２０】
以下、共通ダウンリンク制御チャネル伝送用のリソースセット（ＣＯＲＥＳＥＴ）及び関連パラメータがＭＩＢによって指示されることを例として説明する。共通ダウンリンク制御チャネルが伝送されるビームは、対応するＳＳ  ｂｌｏｃｋが伝送されるビームとは同じであってもよく異なってもよい。共通ダウンリンク制御チャネルが伝送されるビームと、対応するＳＳ  ｂｌｏｃｋが伝送されるビームとは異なる場合、共通ダウンリンク制御チャネル伝送用のリソースセット（ＣＯＲＥＳＥＴ）及び関連パラメータが、ＭＩＢに付帯される情報によって指示されてもよい。共通ダウンリンク制御チャネル伝送用のＣＯＲＥＳＥＴは、ＳＳ  ｂｌｏｃｋが占用する時間周波数領域リソースの前に位置してもよく、ＳＳ  ｂｌｏｃｋが占用する時間周波数領域リソースの後ろに位置してもよい。ＭＩＢによってＣＯＲＥＳＥＴのリソース位置を設定する際に、ＳＳ  ｂｌｏｃｋを伝送するものとは同じｓｌｏｔ内でＣＯＲＥＳＥＴにリソースを設定してもよく、対応するＳＳ  ｂｌｏｃｋを伝送するｓｌｏｔ以外の１つまたは複数のｓｌｏｔ内でＣＯＲＥＳＥＴにリソースを設定してもよい。当該例において、仮に１つのｓｌｏｔに１４個のＯＦＤＭシンボルを含み、１つのＳＳ  ｂｌｏｃｋが４個のＯＦＤＭシンボルを占める。
【０１２１】
共通ダウンリンク制御チャネル伝送用のＣＯＲＥＳＥＴは、ＳＳ  ｂｌｏｃｋの前に位置し、１つのＳＳ  ｂｌｏｃｋのうちのＭＩＢによって、少なくとも１つの共通ダウンリンク制御チャンネル伝送用のＣＯＲＥＳＥＴを設定する。図５に示すように、異なるＣＯＲＥＳＥＴは、ＴＤＭまたはＦＤＭである。各ＣＯＲＥＳＥＴに用いられるビーム方向は、対応するＳＳ  ｂｌｏｃｋに用いられるビーム方向とは、同じであってもよく異なってもよい。もちろん、１つのＳＳ  ｂｌｏｃｋが複数の共通ダウンリンク制御チャネル伝送用のＣＯＲＥＳＥＴに対応し、前記複数の共通ダウンリンク制御チャネル伝送用のＣＯＲＥＳＥＴは、同じまたは異なるビーム方向に対応することができる。
【０１２２】
また、共通ダウンリンク制御チャネル伝送用のＣＯＲＥＳＥＴは、ＳＳ  ｂｌｏｃｋの後ろに位置し、かつ１つのＳＳ  ｂｌｏｃｋのうちのＭＩＢによって、少なくとも１つの共通ダウンリンク制御チャンネル伝送用のＣＯＲＥＳＥＴを設定する。図６に示すように、異なるＣＯＲＥＳＥＴは、ＴＤＭまたはＦＤＭである。各ＣＯＲＥＳＥＴに用いられるビーム方向は、対応するＳＳ  ｂｌｏｃｋに用いられるビーム方向とは、同じであってもよく異なってもよい。もちろん、１つのＳＳ  ｂｌｏｃｋが複数の共通ダウンリンク制御チャネル伝送用のＣＯＲＥＳＥＴに対応し、前記複数の共通ダウンリンク制御チャネル伝送用のＣＯＲＥＳＥＴは、同じまたは異なるビーム方向に対応することができる。
【０１２３】
また、共通ダウンリンク制御チャネル伝送用のＣＯＲＥＳＥＴは、対応するＳＳ  ｂｌｏｃｋを伝送するｓｌｏｔ以外の１つまたは複数のｓｌｏｔに位置し、かつ１つのＳＳ  ｂｌｏｃｋのうちのＭＩＢによって、少なくとも１つの共通ダウンリンク制御チャンネル伝送用のＣＯＲＥＳＥＴを設定する。図７に示すように、異なるＣＯＲＥＳＥＴは、ＴＤＭまたはＦＤＭである。各ＣＯＲＥＳＥＴに用いられるビーム方向は、対応するＳＳ  ｂｌｏｃｋに用いられるビーム方向とは、同じであってもよく異なってもよい。もちろん、１つのＳＳ  ｂｌｏｃｋが複数の共通ダウンリンク制御チャネル伝送用のＣＯＲＥＳＥＴに対応し、前記複数の共通ダウンリンク制御チャネル伝送用のＣＯＲＥＳＥＴは、同じまたは異なるビーム方向に対応することができる。
【０１２４】
一部の選択可能な実施例において、ＭＩＢによって設定されるＣＯＲＥＳＥＴが占用する帯域幅は、ＳＳ  ｂｌｏｃｋ伝送帯域幅内であってもよく、ＳＳ  ｂｌｏｃｋ伝送帯域幅とは同じであってもよく、ＳＳ  ｂｌｏｃｋ伝送帯域幅以外の帯域幅にあってもよいが、これに対し、本開示の実施例において限定しない。
【０１２５】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【０１２６】
当該実施形態において、テーブルインデックスで設定情報を指示することが実現されるため、シグナリングオーバヘッドを減少する。設定情報の一部がＭＩＢによって通知され、他部分の情報がプロトコルによって事前に定義されることが実現されるため、ＭＩＢのオーバヘッドを減少することができる。ＭＩＢによって通知される一部の情報は、設定情報と同期信号ブロックとは一定の関連が存在する情報であり、たとえば、周波数領域位置および時間領域位置などの関連情報である。ほかの内容は、プロトコルによって事前に定義される。たとえば、ＣＣＥ−ｔｏ−ＲＥＧのマッピング関係、ＰＤＣＣＨ−ｔｏ−ＣＣＥのマッピング関係、検出周期およびビーム方向関連情報などは、すべてプロトコルによって定義される。
【０１２７】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【０１２８】
ここで、上記テーブルインデックスが前記設定情報の一部またはすべての内容の組み合わせのインデックスであることは、一括指示と理解してもよい。すなわち、１つのインデックスによって、設定情報のうちの複数の項目の内容を指示することができる。よって、ＭＩＢで必要な指示ビットフィールドの長さをなるべく減少する。
【０１２９】
上記テーブルインデックスが前記設定情報の一部またはすべての内容のうちの各項目の内容のインデックスであることは、項目毎の内容に１つのインデックスを設定する。たとえば、リソースセット（ＣＯＲＥＳＥＴ）のサイズ、位置、ＣＣＥ−ｔｏ−ＲＥＧのマッピング関係、ＰＤＣＣＨ−ｔｏ−ＣＣＥのマッピング関係、ｃｏｍｍｏｎ  ＰＤＣＣＨの伝送周期およびＳＳ  ｂｌｏｃｋに対するＱＣＬ情報などは、すべて単独のインデックスによって指示される。
【０１３０】
一部の選択可能な実施例において、ＣＯＲＥＳＥＴのサイズは、プロトコルによって定義される１つのサブセットでありえ（たとえば設定１のＣＯＲＥＳＥＴがＮ１個のＰＲＢ、Ｍ１個のＯＦＤＭシンボルを占用し、設定２のＣＯＲＥＳＥＴがＮ２個のＰＲＢ、Ｍ２個のＯＦＤＭシンボルを占用する）、ＣＯＲＥＳＥＴの位置は、ＳＳ  ｂｌｏｃｋに対する１つの位置でありえる（たとえば時間領域でＰ個のＯＦＤＭシンボルが隔たり、周波数領域でＱ個のＰＲＢが隔たる。ＳＳ  ｂｌｏｃｋに対するＣＯＲＥＳＥＴの位置は、複数の候補位置を有する。）。
【０１３１】
または、ＣＯＲＥＳＥＴのサイズのセットは、Ａ個あり、ＣＯＲＥＳＥＴのＳＳ  ｂｌｏｃｋに対する候補位置は、Ｂ個あり、ＣＣＥ−ｔｏ−ＲＥＧのマッピングルールは、集中式（Ｌｏｃａｌｉｚｅｄ）と分散式（ｄｉｓｔｒｉｂｕｔｅｄ）であり、ＰＤＣＣＨ−ｔｏ−ＣＣＥのマッピングルールは、集中式（Ｌｏｃａｌｉｚｅｄ）と分散式（ｄｉｓｔｒｉｂｕｔｅｄ）であり、ｃｏｍｍｏｎ  ＰＤＣＣＨの伝送周期は、Ｃ個あり、対応するＳＳ  ｂｌｏｃｋに対するＱＣＬ情報は、Ｄ個ある。たとえば、Ａ＝２、Ｂ＝２、Ｃ＝４、Ｄ＝４とした場合、最終的に、共通ダウンリンク制御チャネルのパラメータは、計２＊２＊２＊２＊４＊４＝２５６種類の組み合わせがあり、ＭＩＢにおいて８ｂｉｔの情報を伝送する必要となる。もちろん、プロトコルによって、すべての組み合わせの１つのサブセットのみを指示する必要があると定義してもよい。
【０１３２】
もちろん、一括指示するパラメータの数は、以上６個のパラメータに限られず、ほかの通知すべきパラメータを一括指示し、一部のパラメータのみに対し一括指示しうる（指示が必要でないほかのパラメータは、プロトコルによる事前定義で特定される。）が、これに対し、本開示の実施例において限定しない。
【０１３３】
たとえば、共通ダウンリンク制御チャネル伝送用のリソースセット（ＣＯＲＥＳＥＴ）および関連パラメータがＭＩＢによって指示されることを例示した上記例に基づいて、ＭＩＢのうち、共通ダウンリンク制御チャネルを指示可能なｂｉｔ情報は、なるべく少なくなるべきである。１つの実施形態として、複数の設定情報を一括指示する方法で指示し、すなわち一部またはすべての内容の組み合わせを指示する。たとえば、共通ダウンリンク制御チャネルに関連するパラメータは、共通ダウンリンク制御チャネル伝送用のＣＯＲＥＳＥＴの設定情報、ＣＣＥ−ｔｏ−ＲＥＧのマッピングルール、ＰＤＣＣＨ−ｔｏ−ＣＣＥのマッピングルール、共通ダウンリンク制御チャネルの周期であるモニタリング周期（ｍｏｎｉｔｏｒｉｎｇ周期）、共通ダウンリンク制御チャネルまたは共通ダウンリンク制御チャネル伝送用のＣＯＲＥＳＥＴのＤＭＲＳの対応するＳＳ  ｂｌｏｃｋに対するＱＣＬパラメータがある。一括指示テーブルをプロトコルに導入し、テーブルｉｎｄｅｘを指示する方式によって、共通ダウンリンク制御チャネルのパラメータ設定情報を指示することができる。具体的に、仮に共通ダウンリンク制御チャネル伝送用のＣＯＲＥＳＥＴのリソース位置には２種類の候補位置およびサイズを有し、ＣＣＥ−ｔｏ−ＲＥＧのマッピングルールにはｌｏｃａｌｉｚｅｄとｄｉｓｔｒｉｂｕｔｅｄの２種類のマッピングルールを有し、ＰＤＣＣＨ−ｔｏ−ＣＣＥのマッピングルールにはｌｏｃａｌｉｚｅｄとｄｉｓｔｒｉｂｕｔｅｄの２種類のマッピングルールを有し、共通ダウンリンク制御チャネルのｍｏｎｉｔｏｒｉｎｇ周期（Ｃｏｍｍｏｎ  ＰＤＣＣＨ  ｏｃｃａｓｉｏｎ  ｐｅｒｉｏｄｉｃｉｔｙ）には、たとえば｛ｓｌｏｔ毎，２つのｓｌｏｔずつ，４つのｓｌｏｔずつ，８つのｓｌｏｔずつ｝の４種類がり、共通ダウンリンク制御チャネルまたはＣＯＲＥＳＥＴのＤＭＲＳの対応するＳＳ  ｂｌｏｃｋに対するＱＣＬパラメータには、２種類あると、計２＊２＊２＊４＊２＝６４種類の組み合わせがあり、指示するには計６ｂｉｔの情報が必要となる。一部の選択可能な実施例において、一部のパラメータのみの指示が必要であれば、たとえばＣＣＥ−ｔｏ−ＲＥＧのマッピングルールとＰＤＣＣＨ−ｔｏ−ＣＣＥのマッピングルールがプロトコルによって定義されるのであれば、表１に示すように、計１６種類のパラメータの組み合わせを指示するには４ｂｉｔしか必要としない。
【０１３４】
たとえば、ＭＩＢのうち、共通ダウンリンク制御チャネルのパラメータ設定指示情報が００００であると、共通ダウンリンク制御チャネル伝送用のＣＯＲＥＳＥＴが候補位置１であり、現れる周期がＰ１であり、対応するＳＳ  ｂｌｏｃｋに対するＱＣＬパラメータがＱ１であることを指示する。端末は、当該設定パラメータを受信すると、ＣＯＲＥＳＥＴ候補位置１で、Ｐ１およびＱ１で共通ダウンリンク制御チャネルを検出して受信する。
【０１３５】
特別な例として、ＭＩＢのうちの一括指示情報フィールドによって、ＣＯＲＥＳＥＴのリソース設定が候補位置１であり、検出周期Ｐ１が２ｓｌｏｔであり、ＱＣＬパラメータがＱ１であると特定されると、共通ダウンリンク制御チャネルの伝送は、図８のようになる。
【０１３６】
一部の選択可能な実施例において、プロトコルでは、すべての組み合わせのうちの一部の組み合わせで、共通ダウンリンク制御チャネルのパラメータ一括指示テーブルを構成するを定義する。上記ケースを例とすると、仮に計６４種類の組み合わせがあるが、プロトコルではそのうちの一部の組み合わせのみを指示し、たとえばそのうちの１５種類の組み合わせしか指示しない場合、ＭＩＢで４ｂｉｔの指示情報を付帯して指示を行うことになる。
【０１３７】
【表１】
2020523906.tif 000003
【０１３８】
ここで、一括指示が必要な共通ダウンリンク制御チャネルのパラメータ数は、プロトコルによって特定される。本開示の実施例において、具体的なパラメータ数および指示が必要なパラメータ数を限定しない。
【０１３９】
一部の選択可能な実施例において、一部のパラメータのみに対しテーブルの形式で一括指示し、ほかのパラメータは、プロトコルによって定義され、または、ほかの情報フィールドによって指示される。
【０１４０】
なお、ＭＩＢには複数のＣＯＲＥＳＥＴの設定情報を付帯可能であり、すなわち、複数のＣＯＲＥＳＥＴを共通ダウンリンク制御チャネル伝送用に設定することができる。
【０１４１】
一部の選択可能な実施例において、前記目標信号は、前記リソースセットの設定情報の一部またはすべての内容を設定する。
【０１４２】
当該実施形態において、目標信号によって上記リソースセットを直接に設定することが実現され、共通ダウンリンク制御チャネル伝送の柔軟性を向上させることができる。また、上記設定情報は、上記実施形態に記載の設定情報を参照されたく、ここでは繰り返して記載しない。かつユーザ端末は、目標信号によって上記設定情報を特定すると、上記リソースセットで共通ダウンリンク制御チャネルを検出して受信することができる。さらに、当該設定情報に基づいて上記リソースセットを特定し、当該リソースセットで共通ダウンリンク制御チャネルを検出して受信することができる。
【０１４３】
一部の選択可能な実施例において、前記目標信号は、ＲＭＳＩ、ランダムアクセスプロセスにおけるメッセージ２またはランダムアクセスプロセスにおけるメッセージ４を含む。
【０１４４】
当該実施形態において、ＲＭＳＩ、ランダムアクセスプロセスにおけるメッセージ２またはランダムアクセスプロセスにおけるメッセージ４によって上記リソースセットを設定することができるため、余分なシグナリングの追加を必要とせず、伝送リソースを節約する。
【０１４５】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【０１４６】
当該実施形態において、ユーザ端末が、共通ダウンリンク制御チャネル伝送に用いられるビームの関連パラメータ、たとえば方向またはビーム番号などを、同期信号ブロックのＱＣＬパラメータによって特定することが実現される。かつユーザ端末は、対応するＳＳ  ｂｌｏｃｋの伝送に用いられるものとは同じまたは異なるビームで共通ダウンリンク制御チャネルを検出して受信し、共通ダウンリンク制御チャネル伝送の柔軟性を向上させることができる。
【０１４７】
なお、本開示の実施例における多種類の選択可能な実施形態は、互いに組み合わせて実現されてもよく、単独で実現されてもよい。たとえば、上記の目標信号が前記リソースセットの設定情報の一部またはすべての内容を設定する実施形態は、上記の目標信号が同期信号ブロックである実施形態と組み合わせて実現されてもよい。以下、上記目標信号が同期信号ブロックである実施形態におけるリソースセットが第１共通ＣＯＲＥＳＥＴであり、目標信号が前記リソースセットの設定情報の一部またはすべての内容を設定する実施形態におけるリソースセットが第２共通ＣＯＲＥＳＥＴであることを例として説明する。ネットワーク側機器は、ＳＳ  ｂｌｏｃｋに基づいて設定される第１共通ＣＯＲＥＳＥＴに基づいて余分な第２共通ＣＯＲＥＳＥＴを設定し、共通ダウンリンク制御チャネルまたはユーザ端末専用（ＵＥ−ｓｐｅｃｉｆｉｃ）のダウンリンク制御チャネルを伝送する。たとえば、ユーザ端末は、ＲＭＳＩに付帯される関連情報から第２共通ＣＯＲＥＳＥＴの設定情報を取得することができる。ＲＭＳＩは、第１共通ＣＯＲＥＳＥＴで伝送される共通ダウンリンク制御チャネルによってスケジューリングされる。ＲＭＳＩによって設定される第２共通ＣＯＲＥＳＥＴの伝送に用いられるビームは、ユーザ端末が受信したＳＳ  ｂｌｏｃｋ  に対するＳＳパラメータなど、ＲＭＳＩに付帯されるビーム方向パラメータによって特定される。ネットワーク側機器は、ＲＭＳＩによって１つまたは複数の第２共通ＣＯＲＥＳＥＴを設定することができる。複数の第２共通ＣＯＲＥＳＥＴは、ＴＤＭまたはＦＤＭであり、同じビームで伝送されてもよく、異なるビームで伝送されてもよい。具体的な設定情報は、前記実施形態の記載を参照されたく、ここでは繰り返して記載しない。もちろん、ここでは単にＲＭＳＩを例として説明したが、ランダムアクセスプロセスにおけるＭｓｇ２またはＭｓｇ４に付帯される関連情報から第２共通ＣＯＲＥＳＥＴの設定情報を取得してもよい。具体的なフローは、ＲＭＳＩのフローを参照されたく、ここでは繰り返して記載しない。
【０１４８】
本開示の実施例において、ユーザ端末は、共通ダウンリンク制御チャネル伝送用のリソースセットに関連付けられる目標信号をネットワーク側機器から受信し、前記目標信号に基づいて前記リソースセットを特定し、前記ネットワーク側機器から送信される共通ダウンリンク制御チャネルを前記リソースセットで受信する。共通ダウンリンク制御チャネル伝送用のリソースセットが目標信号に関連付けられるため、当該リソースセットが柔軟に調整可能であり、共通ダウンリンク制御チャネル伝送の柔軟性を向上させる。
【０１４９】
図９を参照する。図９は、本開示の実施例における別の共通ダウンリンク制御チャネル伝送方法のフローチャートである。図９に示すように、共通ダウンリンク制御チャネル伝送用のリソースセットに関連付けられる目標信号を、ネットワーク側機器からユーザ端末に送信するステップ９０１と、前記ネットワーク側機器から、共通ダウンリンク制御チャネルを前記リソースセットで前記ユーザ機器に送信するステップ９０２とを含む。
【０１５０】
一部の選択可能な実施例において、前記目標信号は、同期信号ブロックを含む。
【０１５１】
一部の選択可能な実施例において、前記リソースセットが占用するＯＦＤＭシンボルと、前記同期信号ブロックが占用するＯＦＤＭシンボルとは同じであり、かつ前記共通ダウンリンク制御チャネルの伝送周期と、前記同期信号ブロックの伝送周期とは同じである。
【０１５２】
一部の選択可能な実施例において、前記リソースセットが占用する時間周波数リソースと、前記同期信号ブロックが占用する時間周波数リソースとは、ＦＤＭである。
【０１５３】
一部の選択可能な実施例において、前記共通ダウンリンク制御チャネルと前記同期信号ブロックとは、同じＯＦＤＭシンボルで同じビームによって伝送される。
【０１５４】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【０１５５】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【０１５６】
一部の選択可能な実施例において、前記リソースセットの設定情報は、前記同期信号ブロックおよび／またはプロトコルによる事前定義で特定される。
【０１５７】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【０１５８】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【０１５９】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【０１６０】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【０１６１】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【０１６２】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【０１６３】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【０１６４】
一部の選択可能な実施例において、前記目標信号は、前記リソースセットの設定情報の一部またはすべての内容を設定する。
【０１６５】
一部の選択可能な実施例において、前記目標信号は、ＲＭＳＩ、ランダムアクセスプロセスにおけるメッセージ２またはランダムアクセスプロセスにおけるメッセージ４を含む。
【０１６６】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【０１６７】
なお、本実施例は、図２に示す実施例に対応するネットワーク側機器の実施形態として、その具体的な実施形態について、図２に示す実施例の関連説明を参照されたく、重複な説明を避けるためにここでは繰り返して記載せず、かつ同一の技術効果を奏することもできる。
【０１６８】
図１０を参照する。図１０は、本開示の実施例におけるユーザ端末の構造図である。図１０に示すように、ユーザ端末１０００は、共通ダウンリンク制御チャネル伝送用のリソースセットに関連付けられる目標信号をネットワーク側機器から受信する受信モジュール１００１と、前記目標信号に基づいて前記リソースセットを特定し、前記ネットワーク側機器から送信される共通ダウンリンク制御チャネルを前記リソースセットで受信する特定モジュール１００２とを含む。
【０１６９】
一部の選択可能な実施例において、前記目標信号は、同期信号ブロックを含む。
【０１７０】
一部の選択可能な実施例において、前記リソースセットが占用するＯＦＤＭシンボルと、前記同期信号ブロックが占用するＯＦＤＭシンボルとは同じく、かつ前記共通ダウンリンク制御チャネルの伝送周期と、前記同期信号ブロックの伝送周期とは同じである。
【０１７１】
一部の選択可能な実施例において、前記リソースセットが占用する時間周波数リソースと、前記同期信号ブロックが占用する時間周波数リソースとは、ＦＤＭである。
【０１７２】
一部の選択可能な実施例において、前記共通ダウンリンク制御チャネルと前記同期信号ブロックとは、同じＯＦＤＭシンボルで同じビームによって伝送される。
【０１７３】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【０１７４】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【０１７５】
一部の選択可能な実施例において、前記リソースセットの設定情報は、前記同期信号ブロックおよび／またはプロトコルによる事前定義で特定される。
【０１７６】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【０１７７】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【０１７８】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【０１７９】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【０１８０】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【０１８１】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【０１８２】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【０１８３】
一部の選択可能な実施例において、前記目標信号は、前記リソースセットの設定情報の一部またはすべての内容を設定する。
【０１８４】
一部の選択可能な実施例において、前記目標信号は、ＲＭＳＩ、ランダムアクセスプロセスにおけるメッセージ２またはランダムアクセスプロセスにおけるメッセージ４を含む。
【０１８５】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【０１８６】
なお、本実施例における上記ユーザ端末１０００は、本開示の実施例における方法実施例の任意の実施形態のユーザ端末であってもよい。本開示の実施例における方法実施例のユーザ端末の任意の実施形態は、すべて本実施例における上記ユーザ端末１０００によって実現可能であり、かつ同一の技術効果を奏することもでき、ここでは繰り返して記載しない。
【０１８７】
図１１を参照する。図１１は、本開示の実施例におけるネットワーク側機器の構造図である。図１１に示すように、ネットワーク側機器１１００は、共通ダウンリンク制御チャネル伝送用のリソースセットに関連付けられる目標信号をユーザ端末に送信する第１送信モジュール１１０１と、共通ダウンリンク制御チャネルを前記リソースセットで前記ユーザ機器に送信する第２送信モジュール１１０２とを含む。
【０１８８】
一部の選択可能な実施例において、前記目標信号は、同期信号ブロックを含む。
【０１８９】
一部の選択可能な実施例において、前記リソースセットが占用するＯＦＤＭシンボルと、前記同期信号ブロックが占用するＯＦＤＭシンボルとは同じであり、かつ前記共通ダウンリンク制御チャネルの伝送周期と、前記同期信号ブロックの伝送周期とは同じである。
【０１９０】
一部の選択可能な実施例において、前記リソースセットが占用する時間周波数リソースと、前記同期信号ブロックが占用する時間周波数リソースとは、ＦＤＭである。
【０１９１】
一部の選択可能な実施例において、前記共通ダウンリンク制御チャネルと前記同期信号ブロックとは、同じＯＦＤＭシンボルで同じビームによって伝送される。
【０１９２】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【０１９３】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【０１９４】
一部の選択可能な実施例において、前記リソースセットの設定情報は、前記同期信号ブロックおよび／またはプロトコルによる事前定義で特定される。
【０１９５】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【０１９６】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【０１９７】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【０１９８】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【０１９９】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【０２００】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【０２０１】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【０２０２】
一部の選択可能な実施例において、前記目標信号は、前記リソースセットの設定情報の一部またはすべての内容を設定する。
【０２０３】
一部の選択可能な実施例において、前記目標信号は、ＲＭＳＩ、ランダムアクセスプロセスにおけるメッセージ２またはランダムアクセスプロセスにおけるメッセージ４を含む。
【０２０４】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【０２０５】
なお、本実施例における上記ネットワーク側機器１１００は、本開示の実施例における方法実施例の任意の実施形態のネットワーク側機器であってもよい。本開示の実施例における方法実施例のネットワーク側機器の任意の実施形態は、すべて本実施例における上記ネットワーク側機器１１００によって実現可能であり、かつ同一の技術効果を奏することもでき、ここでは繰り返して記載しない。
【０２０６】
図１２を参照する。図１２は、本開示の実施例における別のユーザ端末の構造図である。図１２に示すように、当該ユーザ端末は、プロセッサ１２００と、トランシーバ１２１０と、メモリ１２２０と、ユーザインタフェース１２３０と、バスインタフェースを含む。プロセッサ１２００は、メモリ１２２０からプログラムを読み取ることによって、共通ダウンリンク制御チャネル伝送用のリソースセットに関連付けられる目標信号をトランシーバ１２１０でネットワーク側機器から受信するプロセスと、前記目標信号に基づいて前記リソースセットを特定し、前記ネットワーク側機器から送信される共通ダウンリンク制御チャネルを前記リソースセットでトランシーバ１２１０によって受信するプロセスとを実行する。
【０２０７】
ここで、トランシーバ１２１０は、プロセッサ１２００による制御でデータを送受信する。
【０２０８】
図１２において、バスアーキテクチャは、任意数の相互接続するバスとブリッジを含み、具体的に、プロセッサ１２００をはじめとする１つ又は複数のプロセッサとメモリ１２２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１２１０は、複数の部品であってもよく、即ち送信器と受信器を含み、伝送媒体でほかの各種類の装置と通信するユニットとして提供される。ユーザ端末によっては、ユーザインタフェース１２３０は、内部接続や外部接続する機器のインタフェースであってもよい。接続する機器は、キーパッド、ディスプレイ、スピーカ、マイクロフォン、ジョイスティックなどを含むが、それらに限られない。
【０２０９】
プロセッサ１２００は、バスアーキテクチャと通常の処理を管理する。メモリ１２２０は、プロセッサ１２００による操作実行に使用されるデータを記憶できる。
【０２１０】
一部の選択可能な実施例において、前記目標信号は、同期信号ブロックを含む。
【０２１１】
一部の選択可能な実施例において、前記リソースセットが占用するＯＦＤＭシンボルと、前記同期信号ブロックが占用するＯＦＤＭシンボルとは同じく、かつ前記共通ダウンリンク制御チャネルの伝送周期と、前記同期信号ブロックの伝送周期とは同じである。
【０２１２】
一部の選択可能な実施例において、前記リソースセットが占用する時間周波数リソースと、前記同期信号ブロックが占用する時間周波数リソースとは、ＦＤＭである。
【０２１３】
一部の選択可能な実施例において、前記共通ダウンリンク制御チャネルと前記同期信号ブロックとは、同じＯＦＤＭシンボルで同じビームによって伝送される。
【０２１４】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【０２１５】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【０２１６】
一部の選択可能な実施例において、前記リソースセットの設定情報は、前記同期信号ブロックおよび／またはプロトコルによる事前定義で特定される。
【０２１７】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【０２１８】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【０２１９】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【０２２０】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【０２２１】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【０２２２】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【０２２３】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【０２２４】
一部の選択可能な実施例において、前記目標信号は、前記リソースセットの設定情報の一部またはすべての内容を設定する。
【０２２５】
一部の選択可能な実施例において、前記目標信号は、ＲＭＳＩ、ランダムアクセスプロセスにおけるメッセージ２またはランダムアクセスプロセスにおけるメッセージ４を含む。
【０２２６】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【０２２７】
なお、本実施例における上記ユーザ端末は、本開示の実施例における方法実施例の任意の実施形態のユーザ端末であってもよい。本開示の実施例における方法実施例のユーザ端末の任意の実施形態は、すべて本実施例における上記ユーザ端末によって実現可能であり、かつ同一の技術効果を奏することもでき、ここでは繰り返して記載しない。
【０２２８】
図１３を参照する。図１３は、本開示の実施例における別のネットワーク側機器の構造図である。図１３に示すように当該ネットワーク側機器は、プロセッサ１３００と、トランシーバ１３１０と、メモリ１３２０と、ユーザインタフェース１３３０と、バスインタフェースを含む。プロセッサ１３００は、メモリ１３２０からプログラムを読み取ることによって、共通ダウンリンク制御チャネル伝送用のリソースセットに関連付けられる目標信号を、トランシーバ１３１０でユーザ端末に送信するプロセスと、共通ダウンリンク制御チャネルを前記リソースセットで前記ユーザ機器にトランシーバ１３１０によって送信するプロセスとを実行する。
【０２２９】
ここで、トランシーバ１３１０は、プロセッサ１３００による制御でデータを送受信する。
【０２３０】
図１３において、バスアーキテクチャは、任意数の相互接続するバスとブリッジを含み、具体的に、プロセッサ１３００をはじめとする１つ又は複数のプロセッサとメモリ１３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１３１０は、複数の部品であってもよく、即ち送信器と受信器を含み、伝送媒体でほかの各種類の装置と通信するユニットとして提供される。ユーザ端末によっては、ユーザインタフェース１３３０は、内部接続や外部接続する機器のインタフェースであってもよい。接続する機器は、キーパッド、ディスプレイ、スピーカ、マイクロフォン、ジョイスティックなどを含むが、それらに限られない。
【０２３１】
プロセッサ１３００は、バスアーキテクチャと通常の処理を管理する。メモリ１３２０は、プロセッサ１３００による操作実行に使用されるデータを記憶できる。
【０２３２】
一部の選択可能な実施例において、前記目標信号は、同期信号ブロックを含む。
【０２３３】
一部の選択可能な実施例において、前記リソースセットが占用するＯＦＤＭシンボルと、前記同期信号ブロックが占用するＯＦＤＭシンボルとは同じであり、かつ前記共通ダウンリンク制御チャネルの伝送周期と、前記同期信号ブロックの伝送周期とは同じである。
【０２３４】
一部の選択可能な実施例において、前記リソースセットが占用する時間周波数リソースと、前記同期信号ブロックが占用する時間周波数リソースとは、ＦＤＭである。
【０２３５】
一部の選択可能な実施例において、前記共通ダウンリンク制御チャネルと前記同期信号ブロックとは、同じＯＦＤＭシンボルで同じビームによって伝送される。
【０２３６】
一部の選択可能な実施例において、前記リソースセットの設定情報のすべての内容は、プロトコルによって事前に定義され、または、前記リソースセットの設定情報の一部またはすべての内容は、前記同期信号ブロックのうちのＭＩＢによって設定される。
【０２３７】
一部の選択可能な実施例において、前記リソースセットの設定情報は、ＣＣＥとＲＥＧとのマッピング関係、ＰＤＣＣＨ候補リソースとＣＣＥとのマッピング関係、ＤＭＲＳポートモード情報、リソースサイズ情報、および、前記同期信号ブロックに対するリソース位置のうちの１つまたは複数を含む。
【０２３８】
一部の選択可能な実施例において、前記リソースセットの設定情報は、前記同期信号ブロックおよび／またはプロトコルによる事前定義で特定される。
【０２３９】
一部の選択可能な実施例において、１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在する。
【０２４０】
一部の選択可能な実施例において、１つの同期信号ブロックのうちのＭＩＢは、当該同期信号ブロックに対応する少なくとも１つの共通ダウンリンク制御チャネル伝送用のリソースセットの時間周波数位置を通知する。
【０２４１】
一部の選択可能な実施例において、１つの同期信号ブロックは、少なくとも１つの共通ダウンリンク制御チャネル伝送用のリソースセットの時間周波数位置に対応する。ここで、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置する。または、１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置する。または、１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置する。または、１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置する。または、１つの同期信号ブロックと、当該同期信号ブロックに対応する少なくとも１つの共通ダウンリンク制御チャネル伝送用のリソースセットとは、占用する周波数領域リソースが同じである。
【０２４２】
一部の選択可能な実施例において、１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される。
【０２４３】
一部の選択可能な実施例において、前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示される。
【０２４４】
一部の選択可能な実施例において、前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、前記設定情報のうちの一部の情報は、前記同期信号ブロックのうちのＭＩＢによって通知され、前記設定情報のうちの他部分の情報は、プロトコルによって事前に定義される。
【０２４５】
一部の選択可能な実施例において、前記テーブルインデックスは、前記設定情報の一部またはすべての内容の組み合わせのインデックスであり、または、前記テーブルインデックスは、前記設定情報の一部またはすべての内容のうちの各項目の内容のインデックスである。
【０２４６】
一部の選択可能な実施例において、前記目標信号は、前記リソースセットの設定情報の一部またはすべての内容を設定する。
【０２４７】
一部の選択可能な実施例において、前記目標信号は、ＲＭＳＩ、ランダムアクセスプロセスにおけるメッセージ２またはランダムアクセスプロセスにおけるメッセージ４を含む。
【０２４８】
一部の選択可能な実施例において、前記リソースセットでの共通ダウンリンク制御チャネルの伝送に用いられるビームの関連パラメータは、前記リソースセットに対応する同期信号ブロックのＱＣＬパラメータによって特定される。
【０２４９】
なお、本実施例における上記ネットワーク側機器は、本開示の実施例における方法実施例の任意の実施形態のネットワーク側機器であってもよい。本開示の実施例における方法実施例のネットワーク側機器の任意の実施形態は、すべて本実施例における上記ネットワーク側機器によって実現可能であり、かつ同一の技術効果を奏することもでき、ここでは繰り返して記載しない。
【０２５０】
本開示の実施例において、コンピュータプログラムが記憶されているコンピュータ読み取り可能な記憶媒体をさらに提供する。当該プログラムがプロセッサによって実行されると、共通ダウンリンク制御チャネル伝送用のリソースセットに関連付けられる目標信号をネットワーク側機器から受信するステップと、前記目標信号に基づいて前記リソースセットを特定し、前記ネットワーク側機器から送信される共通ダウンリンク制御チャネルを前記リソースセットで受信するステップとが実現される。
【０２５１】
一部の選択可能な実施例において、当該プログラムがプロセッサによって実行されると、本開示の実施例におけるユーザ端末側の共通ダウンリンク制御チャネル伝送方法のステップを実現することもできる。
【０２５２】
本開示の実施例において、コンピュータプログラムが記憶されているコンピュータ読み取り可能な記憶媒体をさらに提供する。当該プログラムがプロセッサによって実行されると、共通ダウンリンク制御チャネル伝送用のリソースセットに関連付けられる目標信号をユーザ端末に送信するステップと、共通ダウンリンク制御チャネルを前記リソースセットで前記ユーザ機器に送信するステップとが実現される。
【０２５３】
一部の選択可能な実施例において、当該プログラムがプロセッサによって実行されると、本開示の実施例におけるネットワーク側機器側の共通ダウンリンク制御チャネル伝送方法のステップを実現することもできる。
【０２５４】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０２５５】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【０２５６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本発明の各実施例に記載の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２５７】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
2020523906.tif 000004
【図２】
2020523906.tif 000005
【図３】
2020523906.tif 000006
【図４】
2020523906.tif 000007
【図５】
2020523906.tif 000008
【図６】
2020523906.tif 000009
【図７】
2020523906.tif 000010
【図８】
2020523906.tif 000011
【図９】
2020523906.tif 000012
【図１０】
2020523906.tif 000013
【図１１】
2020523906.tif 000014
【図１２】
2020523906.tif 000015
【図１３】
2020523906.tif 000016
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
共通ダウンリンク制御チャネル伝送用のリソースセットに関連付けられる目標信号を、ユーザ端末がネットワーク側機器から受信することと、
前記ユーザ機器が、前記目標信号に基づいて前記リソースセットを特定し、前記ネットワーク側機器から送信される共通ダウンリンク制御チャネルを前記リソースセットで受信することとを含む、共通ダウンリンク制御チャネル伝送方法。
【請求項２】
前記目標信号は、
同期信号ブロックを含む、請求項１に記載の方法。
【請求項３】
前記リソースセットが占用するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルと、前記同期信号ブロックが占用するＯＦＤＭシンボルとは同じ、かつ前記共通ダウンリンク制御チャネルの伝送周期と、前記同期信号ブロックの伝送周期とは同じであり、
前記リソースセットが占用する時間周波数リソースと、前記同期信号ブロックが占用する時間周波数リソースとは、ＦＤＭ（Ｆｒｅｑｕｅｎｃｙ  Ｄｉｖｉｓｉｏｎ  Ｍｕｌｔｉｐｌｅｘｉｎｇ）である、請求項２に記載の方法。
【請求項４】
前記共通ダウンリンク制御チャネルと前記同期信号ブロックとは、同じＯＦＤＭシンボルで同じビームによって伝送される、請求項３に記載の方法。
【請求項５】
前記リソースセットの設定情報のすべての内容は、プロトコルによって事前に定義され、または、
前記リソースセットの設定情報の一部またはすべての内容は、前記同期信号ブロックのうちのＭＩＢ（Ｍａｓｔｅｒ  Ｉｎｆｏｒｍａｔｉｏｎ  Ｂｌｏｃｋ）によって設定される、請求項３に記載の方法。
【請求項６】
前記リソースセットの設定情報は、
制御チャネルエレメントＣＣＥとリソースエレメント群ＲＥＧとのマッピング関係、
物理ダウンリンク制御チャネルＰＤＣＣＨ候補リソースとＣＣＥとのマッピング関係、
復調参照信号ＤＭＲＳポートモード情報、
リソースサイズ情報、および、
前記同期信号ブロックに対するリソース位置のうちの１つまたは複数を含む、請求項５に記載の方法。
【請求項７】
前記リソースセットの設定情報は、
前記同期信号ブロックおよび／またはプロトコルによる事前定義で特定される、請求項２に記載の方法。
【請求項８】
１つの同期信号ブロックは、少なくとも１つの共通ダウンリンク制御チャネル伝送用のリソースセットに対応し、かつ前記設定情報は、前記同期信号ブロックのうちのＭＩＢによって明示的および／または暗黙的に指示され、または、前記設定情報と前記同期信号ブロックとは、プロトコルによって事前に定義される関係が存在し、
前記共通ダウンリンク制御チャネルの伝送に用いられるビームと、対応する同期信号ブロックの伝送に用いられるビームとは、同じであり、または、前記共通ダウンリンク制御チャネルの伝送に用いられるビームは、対応する同期信号ブロックのうちのＭＩＢによって指示され、
１つの同期信号ブロックのうちのＭＩＢは、当該同期信号ブロックに対応する少なくとも１つの共通ダウンリンク制御チャネル伝送用のリソースセットの時間周波数位置を通知する、請求項７に記載の方法。
【請求項９】
１つの同期信号ブロックが少なくとも１つの共通ダウンリンク制御チャネル伝送用のリソースセットの時間周波数位置に対応することは、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの前に位置し、または、
１つの同期信号ブロックと、当該同期信号ブロックに対応する少なくとも１つの共通ダウンリンク制御チャネル伝送用のリソースセットとは同一ｓｌｏｔに位置し、かつ前記少なくとも１つの共通ダウンリンク制御チャネル伝送用のリソースセットが前記同期信号ブロックの後ろに位置し、または、
１つの同期信号ブロックと、当該同期信号ブロックに対応する少なくとも１つの共通ダウンリンク制御チャネル伝送用のリソースセットとは同一ｓｌｏｔ内の同じＯＦＤＭシンボルに位置し、または、
１つの同期信号ブロックに対応する少なくとも１つの共通ダウンリンク制御チャネル伝送用のリソースセットが、当該同期信号ブロックを伝送するｓｌｏｔ以外の１つまたは複数のｓｌｏｔに位置し、または、
１つの同期信号ブロックと、当該同期信号ブロックに対応する少なくとも１つの共通ダウンリンク制御チャネル伝送用のリソースセットとは、占用する周波数領域リソースが同じである、請求項８に記載の方法。
【請求項１０】
１つの同期信号ブロックに対応する少なくとも１つの共通ダウンリンク制御チャネル伝送用のリソースセットの周期が、当該同期信号ブロックのＭＩＢによって通知され、または、プロトコルによって事前に定義される、請求項９に記載の方法。
【請求項１１】
前記リソースセットの設定情報の一部またはすべての内容は、前記同期信号ブロックのうちのＭＩＢによって、プロトコルで事前に定義される設定情報テーブルのうちのインデックスであるテーブルインデックスの方式で指示され、または、
前記設定情報のうちの一部の情報は、前記同期信号ブロックのうちのＭＩＢによって通知され、前記設定情報のうちの他部分の情報は、プロトコルによって事前に定義され、
前記テーブルインデックスは、前記設定情報の一部またはすべての内容の組み合わせのインデックスであり、または、前記テーブルインデックスは、前記設定情報の一部またはすべての内容のうちの各項目の内容のインデックスである、請求項７に記載の方法。
【請求項１２】
前記目標信号は、
前記リソースセットの設定情報の一部またはすべての内容を設定し、
前記目標信号は、
ＲＭＳＩ（Ｒｅｍａｉｎｉｎｇ  Ｓｙｓｔｅｍ  Ｉｎｆｏｒｍａｔｉｏｎ）、ランダムアクセスプロセスにおけるメッセージ２またはランダムアクセスプロセスにおけるメッセージ４を含み、
前記リソースセットでの共通ダウンリンク制御チャネルの伝送に用いられるビームの関連パラメータは、前記リソースセットに対応する同期信号ブロックのＱＣＬ（Ｑｕａｓｉ−Ｃｏ−Ｌｏｃａｔｉｏｎ）パラメータによって特定される、請求項１に記載の方法。
【請求項１３】
共通ダウンリンク制御チャネル伝送用のリソースセットに関連付けられる目標信号を、ネットワーク側機器からユーザ端末に送信することと、
前記ネットワーク側機器から、共通ダウンリンク制御チャネルを前記リソースセットで前記ユーザ機器に送信することとを含む、共通ダウンリンク制御チャネル伝送方法。
【請求項１４】
共通ダウンリンク制御チャネル伝送用のリソースセットに関連付けられる目標信号をネットワーク側機器から受信する受信モジュールと、
前記目標信号に基づいて前記リソースセットを特定し、前記ネットワーク側機器から送信される共通ダウンリンク制御チャネルを前記リソースセットで受信する特定モジュールとを含む、ユーザ端末。
【請求項１５】
共通ダウンリンク制御チャネル伝送用のリソースセットに関連付けられる目標信号をユーザ端末に送信する第１送信モジュールと、
共通ダウンリンク制御チャネルを前記リソースセットで前記ユーザ機器に送信する第２送信モジュールとを含む、ネットワーク側機器。
【国際調査報告】
2020523906.tif 000017
2020523906.tif 000018
2020523906.tif 000019
2020523906.tif 000020